(57)【要約】【課題】立体写真の撮影が可能な低価格なデジタルカメラを提供することを課題とする。【解決手段】光軸Ｌ方向に一列に配置した複数のレンズ２１・２２・２３と、複数のレンズ２１・２２・２３のうち一のレンズ２２を光軸Ｌと直交する左右横方向に移動させるアクチュエータ８と、該一のレンズ２２を、その中心位置が光軸Ｌ上に位置するセンター位置と、光軸Ｌから左方へ変位した左眼対応位置と、光軸Ｌから右方へ変位した右眼対応位置との３位置のうち少なくとも２位置に順番に位置させる移動指令を出力するとともに、このそれぞれの位置で撮影を行う撮影指令を出力する制御手段であるＭＰＵ１０と、を備えたデジタルカメラ１とする。【選択図】  図１
2005323065.tif 000002
【特許請求の範囲】
【請求項１】
立体写真の撮影が可能なデジタルカメラであって、
光軸方向に一列に配置した複数のレンズと、
前記複数のレンズのうち一のレンズを光軸と直交する左右横方向に移動させるアクチュエータと、
前記一のレンズを、その中心位置が光軸上に位置するセンター位置と、光軸から左方へ変位した左眼対応位置と、光軸から右方へ変位した右眼対応位置との３位置のうち少なくとも２位置に順番に位置させる移動指令を出力するとともに、このそれぞれの位置で撮影を行う撮影指令を出力する制御手段と、
を備えたことを特徴とするデジタルカメラ。
【請求項２】
前記アクチュエータによる前記一のレンズのセンター位置から左眼対応位置又は右眼対応位置への移動量を変更可能に構成したことを特徴とする請求項１に記載のデジタルカメラ。
【発明の詳細な説明】
【技術分野】
【０００１】
本発明は、立体写真（３Ｄ写真）の撮影が可能なデジタルカメラの技術に関する。
【背景技術】
【０００２】
立体写真の撮影が可能なデジタルカメラは、例えば、特許文献１に開示されており、この発明は次のように構成されている。
このデジタルカメラは、デジタルカメラ本体の左右水平方向に並設されて、被写体光を同時に入射可能とする２組の撮影光学系と、この２組の撮影光学系のそれぞれに対応して、各撮影光学系により結像されたそれぞれの被写体光を画像信号に変換して出力する２組のＣＣＤ（Ｃｈａｒｇｅ  Ｃｏｕｐｌｅｄ  Ｄｅｖｉｃｅ）と、この２組のＣＣＤをともに駆動して立体静止画を構成し得る相補的な対としての左眼用画像及び右眼用画像に対応した画像信号をそれぞれのＣＣＤより出力する立体静止画撮影モードと、２組のＣＣＤのうち一方のＣＣＤを駆動して通常の画像信号を出力する通常撮影モードと、立体静止画撮影モードと通常撮影モードとを切り換えて設定するモード切換設定手段と、を具備し、立体静止画撮影モードにモード設定することで、２組の撮影光学系と、２組のＣＣＤとにより立体写真の撮影が可能に構成されている。
【０００３】
【特許文献１】特開平８−３１７４２５号公報
【発明の開示】
【発明が解決しようとする課題】
【０００４】
しかしながら、デジタルカメラの構成部材であるＣＣＤは高価であり、このＣＣＤを２個用いてデジタルカメラに組み込むとなると、商品価格がかなり上昇して、コスト的には不利である。
そこで、本発明では、この点を鑑み、立体写真の撮影が可能な低価格なデジタルカメラを提供することを課題とする。
【課題を解決するための手段】
【０００５】
本発明の解決しようとする課題は以上のとおりであり、次にこの課題を解決するための手段を説明する。
まず、請求項１に記載のように、立体写真の撮影が可能なデジタルカメラであって、
光軸方向に一列に配置した複数のレンズと、前記複数のレンズのうち一のレンズを光軸と直交する左右横方向に移動させるアクチュエータと、前記一のレンズを、その中心位置が光軸上に位置するセンター位置と、光軸から左方へ変位した左眼対応位置と、光軸から右方へ変位した右眼対応位置との３位置のうち少なくとも２位置に順番に位置させる移動指令を出力するとともに、このそれぞれの位置で撮影を行う撮影指令を出力する制御手段と、を備えた構成とする。
【０００６】
また、請求項２に記載のように、前記アクチュエータによる前記一のレンズのセンター位置から左眼対応位置又は右眼対応位置への移動量を変更可能に構成する。
【発明の効果】
【０００７】
本発明は、以上のように構成したことにより、次のような効果を奏する。
まず、請求項１に記載の発明では、デジタルカメラは単一のＣＣＤを備えた構成で、立体写真の撮影が可能となり、コスト削減を図ることができて、デジタルカメラの低価格化を図ることができる。
【０００８】
また、請求項２に記載の発明では、請求項１に記載の発明と同様の効果を奏するとともに、レンズから被写体までの距離などに応じて、前記一のレンズのセンター位置から左眼対応位置又は右眼対応位置への移動量を変化させることができ、撮影した画像により立体感を持たせることができて、ユーザの満足感が向上する。
【発明を実施するための最良の形態】
【０００９】
次に、本発明の実施の一形態を、図面を参照しながら説明する。
【００１０】
図１はデジタルカメラ（電子カメラ）１の制御構成を示すブロック図であり、デジタルカメラ１の撮像光学系２は、第１レンズ２１と、第２レンズ２２と、第３レンズ２３とから成るレンズ群を備え、各レンズ２１・２２・２３の中心位置は光軸Ｌ上に配置されて、該３つのレンズ２１・２２・２３は光軸Ｌ方向に一列に配置されている。この３つのレンズ２１・２２・２３のうち中央の第２レンズ２２を補正レンズとして、該第２レンズ２２を光軸Ｌと直交する左右横方向に移動させることで、光軸Ｌを偏心させて、立体写真（３Ｄ写真）を撮影するように構成されている。
【００１１】
デジタルカメラ１は、前記第２レンズ２２を光軸Ｌと直交する左右横方向に移動させるアクチュエータ８を備えており、該アクチュエータ８はアクチュエータ駆動回路１８から駆動信号を受けて駆動するように構成されている。このアクチュエータ８は、例えば、電磁コイルに電流を流すことで発生する電気的エネルギーを、機械的エネルギーに変換して、可動鉄心を進退させる電磁ソレノイドなどで構成されている。
【００１２】
前記３つのレンズ２１・２２・２３の光入射方向下流側には撮像素子３が配置されており、該撮像素子３はＣＣＤ（Ｃｈａｒｇｅ  Ｃｏｕｐｌｅｄ  Ｄｅｖｉｃｅ）などで構成されている。この撮像素子３は、撮像光学系２を介して入射する映像を電気信号に変換するものであり、撮像素子３から出力された映像信号は、アナログ信号処理手段１２に入力されてガンマ処理などのアナログ信号処理を施され、さらにこのアナログの映像信号は、Ａ／Ｄ変換手段１３でデジタル信号に変換された後、デジタル信号処理手段１４によりデジタル画信号のノイズ除去や輪郭強調等のデジタル信号処理が施されて、この処理が施された映像信号は画像情報として記憶手段であるメモリ１１に格納されるようになっている。
【００１３】
また、デジタルカメラ１は、デジタルカメラ１全体を制御するＭＰＵ１０と、撮影モードを「立体画像撮影モード」、又は「通常撮影モード」などに切り換える切換手段としての撮影モードスイッチ１６と、撮影記録を行う際に撮影開始信号であるトリガー信号を発生させる操作手段としてのシャッタースイッチ１７と、デジタルカメラ１の状態や撮影条件等の情報等を表示するための表示手段などを備え、該表示手段は液晶ディスプレイ（Ｌｉｑｕｉｄ  Ｃｒｙｓｔａｌ  Ｄｉｓｐｌａｙ）などの表示パネル１９で構成されている。
【００１４】
「立体画像撮影モード」は、前記第２レンズ２２をその中心位置が光軸Ｌ上に位置するセンター位置と、光軸Ｌから左方へ変位した左眼対応位置と、光軸Ｌから右方へ変位した右眼対応位置との３位置（若しくはこの３位置のうち２位置）に位置させて、それぞれの位置で撮影を行うことで、立体静止画像を作成することができるモードであり、「通常撮影モード」は、前記第２レンズ２２を前記センター位置に位置させて撮影を行うことで、通常の静止画像を作成するモードである。
【００１５】
次に、デジタルカメラ１の撮影動作について説明する。
まず、ユーザは撮影動作に先立って、前記撮影モードスイッチ１６を操作して「立体画像撮影モード」又は「通常撮影モード」に切り換え、撮影モードを設定する。ここでは、撮影モードを「立体画像撮影モード」に設定するものとし、次に、ユーザは前記シャッタースイッチ１７を操作することによって、撮影開始信号であるトリガー信号を発生させると、このトリガー信号は、前記ＭＰＵ１０に出力されて、これに基づいて、デジタルカメラ１は撮影記録動作を開始する。
【００１６】
図２に示すように、前記撮像光学系２の第２レンズ２２は通常はセンター位置にあり（ステップＳ１）、シャッタースイッチ１７が操作されて（ステップＳ２）、撮影記録動作が開始されると、ＭＰＵ１０では撮影モードの認識が行われる。今の場合は、撮影モードが「立体画像撮影モード」であり、ＭＰＵ１０で撮影モードが「立体画像撮影モード」に設定されていると認識されると（ステップＳ３）、制御手段であるＭＰＵ１０からアクチュエータ駆動回路１８へ第２レンズ２２を左眼対応位置、右眼対応位置、センター位置の順番に移動させる移動指令が出力されるとともに、このそれぞれの位置で撮影を行う撮影指令が出力される。
【００１７】
これによりアクシュエータ駆動回路１８からアクチュエータ８へ駆動信号が出力されて、まず、アクチュエータ８は第２レンズ２２を左眼対応位置に移動させて（ステップＳ４）、該第２レンズ２２を左眼対応位置に位置させた状態で、第１回目の撮影が行われ、撮像光学系２を介して入射する映像は撮像素子３に取り込まれて各種処理が施された後、この映像信号は左眼対応位置の画像情報としてメモリ１１に取り込まれる（ステップＳ５）。
【００１８】
次に、アクチュエータ８は第２レンズ２２を右眼対応位置に移動させて（ステップＳ６）、該第２レンズ２２を右眼対応位置に位置させた状態で、第２回目の撮影が行われ、撮像光学系２を介して入射する映像は撮像素子３に取り込まれて各種処理が施された後、この映像信号は右眼対応位置の画像情報としてメモリ１１に取り込まれる（ステップＳ７）。
【００１９】
そして、アクチュエータ８は第２レンズ２２をセンター位置に移動させて（ステップＳ８）、該第２レンズ２２を元のセンター位置に復帰させた状態で、第３回目の撮影が行われ、撮像光学系２を介して入射する映像は撮像素子３に取り込まれて各種処理が施された後、この映像信号はセンター位置の画像情報としてメモリ１１に取り込まれる（ステップＳ９）。
【００２０】
以上のようにして、メモリ１１に、左眼対応位置の画像情報と、右眼対応位置の画像情報と、センター位置の画像情報と、の３枚の画像情報が立体画像に関わる立体画像情報として格納されて、この立体画像情報を表示パネル１９に再生（表示）する場合、該立体画像情報を構成する３枚の画像情報が同時に再生されることにより、立体静止画像が表示パネル１９上に再生（表示）される。
【００２１】
以上は、「立体画像撮影モード」での撮影の説明であり、一方、「通常撮影モード」での撮影では、デジタルカメラ１は次のように動作する。
前記のように、撮像光学系２の第２レンズ２２は通常はセンター位置にあり（ステップＳ１）、ユーザは「通常撮影モード」で撮影する場合、撮影モードスイッチ１６を「通常撮影モード」に切り換えて、シャッタースイッチ１７を操作するが（ステップＳ１）、このシャッタースイッチ１６を操作したときに、前記ＭＰＵ１０では撮影モードが「通常撮影モード」に設定されていると認識され、言い換えれば、撮影モードが「立体画像撮影モード」ではないと認識される（ステップＳ３）。
【００２２】
これにより第２レンズ２２は移動することなくそのままセンター位置にあるまま、撮影が行われ、撮像光学系２を介して入射する映像は撮像素子３に取り込まれて各種処理が施された後、この映像信号は通常撮影モードの画像情報としてメモリ１１に取り込まれる（ステップＳ９）。
【００２３】
以上、本発明の実施の一形態であり、このデジタルカメラ１は単一の撮像素子３を備えた構成で、立体写真の撮影が可能となり、コスト削減を図ることができて、デジタルカメラ１の低価格化を図ることができる。
【００２４】
なお、前記アクチュエータ８を電磁ソレノイドで構成した場合、その電磁コイルに流す電流値を変更することで、可動鉄心の進退量を変更することができ、該アクチュエータ８による第２レンズ２２のセンター位置から左眼対応位置又は右眼対応位置への移動量を変更可能な構成とすることができる。この構成の場合、デジタルカメラ１は電磁ソレノイドの電磁コイルに流す電流値を変更する電流値変更手段を備え、この構成によれば、レンズ２１・２２・２３から被写体までの距離などに応じて、第２レンズ２２のセンター位置から左眼対応位置又は右眼対応位置への移動量を変化させることができ、撮影した画像により立体感を持たせることができて、ユーザの満足感が向上する。
【図面の簡単な説明】
【００２５】
【図１】デジタルカメラ１の制御構成を示すブロック図。
【図２】デジタルカメラ１での撮影動作の流れを示すフローチャート。
【符号の説明】
【００２６】
１    デジタルカメラ
２    撮像光学系
３    固体撮像素子
８    アクチュエータ
１０    ＭＰＵ
１１    メモリ
１２    アナログ信号処理手段
１３    Ａ／Ｄ変換手段
１４    デジタル信号処理手段
１６    撮影モードスイッチ
１７    シャッタースイッチ
１８    アクチュエータ駆動回路
１９    表示パネル
２１    第１レンズ
２２    第２レンズ
２３    第３レンズ
【図１】
2005323065.tif 000003
【図２】
2005323065.tif 000004